(57)【要約】【課題】デジタル信号処理とステレオコーデックを使用することで呼出音や送話音声の同時出力が必要な音源を確保する。【解決手段】玄関子機と、親機マイク、親機スピーカ、ハンドセット及び増設スピーカを有する１台以上の室内親機とを接続し、玄関子機のモノラルコーデック及び室内親機のステレオコーデックによりアナログ音声信号をデジタルデータに変換したデジタル音声信号として伝送を行うにあたり、室内親機には、呼出音、音声データ、居室呼び出しの応答時の操作確認音を保存するＲＯＭと、ＲＯＭから読み出される音声データ、操作確認音をボリューム調整及びミキシング等の信号処理をするためのデジタル音声処理部と、親機スピーカ、ハンドセット及び増設スピーカのうち選択された何れかの出力先に対応させてデジタル音声処理部を制御し、出力先を選択するためのＣＰＵとを備える。【選択図】図１
2008252531.tif 000002
【特許請求の範囲】
【請求項１】
来訪者により居室呼び出しを行うための呼出部（１０３）及び通話を成立させるための子機マイク（１０２）及び子機スピーカ（１０１）を有する玄関子機（１）と、前記玄関子機からの居室呼び出しに応答して前記来訪者との間で通話を成立させるための親機マイク（２０５、３０５）、親機スピーカ（２０４、３０４）、ハンドセット（２１４、３１４）及び前記居室呼び出しの報知のために必要な呼出音を放音するための増設スピーカ（２１５、３１５）を有する１台以上の室内親機（２、３）とを接続し、前記玄関子機のモノラルコーデック（１０６）及び前記室内親機のステレオコーデック（２０３、３０３）によりアナログ音声信号をデジタルデータに変換したデジタル音声信号として伝送を行うにあたり、
前記室内親機には、前記居室呼び出しの報知のために必要な呼出音、音声メッセージ等の音声データ、前記居室呼び出しの応答時の操作確認音を保存するＲＯＭ（２１２、３０８）と、前記ＲＯＭから読み出される前記音声データ、前記操作確認音をボリューム調整及びミキシング等の信号処理をするためのデジタル音声処理部（２０２、３０２）と、前記親機スピーカ、前記ハンドセット及び前記増設スピーカのうち選択された何れかの出力先に対応させて前記デジタル音声処理部を制御し、前記出力先を選択するためのＣＰＵ（２１１、３０７）とを備えることを特徴とするインターホン装置。
【請求項２】
前記室内親機のＣＰＵは、前記ＲＯＭから読み出される前記音声データ、前記操作確認音を前記ステレオコーデックのＬチャンネル（ＤＡＣＬ）及びＲチャンネル（ＤＡＣＲ）にそれぞれ入力して、当該ステレオコーデックの出力スイッチ（ＳＷ）を制御することを特徴とする請求項１記載のインターホン装置。
【発明の詳細な説明】
【技術分野】
【０００１】
本発明は、インターホン装置に係わり、特にデジタル音声系データをアナログ音声系データに変換して出力するインターホン装置に関する。
【背景技術】
【０００２】
従来から音声系データをデジタル伝送し、終端機でアナログ信号に変換して出力可能にするインターホン装置が知られている。
【０００３】
このようなインターホン装置は、例えば子機、親機、増設親機が設置されたインターホン装置において、親機及び増設親機から送信されるデジタル音声データをアナログ音声信号に変換したり、子機マイクからのアナログ音声信号をデジタル音声データに変換したりする子機コーデックや、子機から送信されるデジタル音声データをアナログ音声信号に変換したり、親機マイクからのアナログ音声信号をデジタル音声データに変換したりする親機コーデック、さらには子機から送信されるデジタル音声データをアナログ音声信号に変換したり、増設親機マイクからのアナログ音声信号をデジタル音声データに変換したりする増設親機コーデックを有している（例えば、特許文献１参照）。
【０００４】
【特許文献１】特開２００６−１０１３２７号公報
【発明の開示】
【発明が解決しようとする課題】
【０００５】
しかしながら、従来のインターホン装置ではシステム上複数の音源を同時に出力する必要がある場合、出力音源の種類だけＡＤ変換器若しくはコーデック（CODEC）が必要であったり、ＤＡ変換後にミキシング等の付属回路が必要となったりするので、回路規模やコストの増大という課題があった。
【０００６】
本発明は、このような難点を解決するためになされたもので、デジタル信号処理とステレオコーデックを使用することで呼出音や送話音声の同時出力が必要な音源を確保することができる。
【課題を解決するための手段】
【０００７】
上記課題を解決するために本発明によるインターホン装置の第１の態様は、来訪者により居室呼び出しを行うための呼出部及び通話を成立させるための子機マイク及び子機スピーカを有する玄関子機と、玄関子機からの居室呼び出しに応答して来訪者との間で通話を成立させるための親機マイク、親機スピーカ、ハンドセット及び居室呼び出しの報知のために必要な呼出音を放音するための増設スピーカを有する１台以上の室内親機とを接続し、玄関子機のモノラルコーデック及び室内親機のステレオコーデックによりアナログ音声信号をデジタルデータに変換したデジタル音声信号として伝送を行うにあたり、室内親機には、居室呼び出しの報知のために必要な呼出音、音声メッセージ等の音声データ、居室呼び出しの応答時の操作確認音を保存するＲＯＭと、ＲＯＭから読み出される音声データ、操作確認音をボリューム調整及びミキシング等の信号処理をするためのデジタル音声処理部と、親機スピーカ、ハンドセット及び増設スピーカのうち選択された何れかの出力先に対応させてデジタル音声処理部を制御し、出力先を選択するためのＣＰＵとを備えることを特徴とする。
【０００８】
また、本発明によるインターホン装置の第２の態様は、第１の態様において、室内親機のＣＰＵは、ＲＯＭから読み出される音声データ、操作確認音をステレオコーデックのＬチャンネル（ＤＡＣＬ）及びＲチャンネル（ＤＡＣＲ）にそれぞれ入力して、当該ステレオコーデックの出力スイッチ（ＳＷ）を制御することを特徴とする。
【発明の効果】
【０００９】
本発明によるインターホン装置によれば、自機のスピーカと自機に接続されるハンドセット及び増設スピーカに必要な出力をＤＡ変換後の付加回路無しに1つのコーデックで処理することができる。
【発明を実施するための最良の形態】
【００１０】
以下、本発明の好ましい実施の形態について図面を参照して詳述する。
【００１１】
図1は本発明のインターホン装置のシステム構成図を表したもので、システムは戸外に設置される玄関子機1と室内に設置される室内親機2、増設親機3、及び例えば勝手口等に設置される玄関子機４とから構成され、玄関子機１及び玄関子機４は室内親機２とそれぞれ接続されており、室内親機２は増設親機３と接続されている。
【００１２】
ここで、玄関子機１は子機スピーカ１０１、子機マイク１０２、呼出ボタン１０３及び来訪者を撮像するカメラ１１０を備えており、また玄関子機４も同様に子機スピーカ４０１、子機マイク４０２、呼出ボタン４０３及び来訪者を撮像するカメラ４１０を備えている。
【００１３】
室内親機２は親機スピーカ２０４、親機マイク２０５、増設スピーカ２１５の他に後述する親機ハンドセットスピーカ及び親機ハンドセットマイクを有する親機ハンドセット２１４を備えている。
【００１４】
また、増設親機３も増設親機スピーカ３０４、増設親機マイク３０５、増設親機増設スピーカ３１５の他に後述する増設親機ハンドセットスピーカ及び増設親機ハンドセットマイクを有する増設親機ハンドセット３１４を備えている。
【００１５】
図2は本発明のインターホン装置の各構成機器のブロック図を示したものである。なお、玄関子機１と玄関子機４は同一構成なので図２においては玄関子機１についてのみブロック図を示し説明する。
【００１６】
図２において、玄関子機1は室内親機2及び増設親機3とデジタル信号の送受信をおこなう子機通信処理部１０４を備えており、この子機通信処理部１０４には来客を室内親機2及び増設親機3に知らせる呼出部である呼出ボタン１０３、玄関子機1の音響エコーを除去する音響エコーキャンセラ処理を含む子機デジタル音声処理部１０５が接続されている。子機デジタル音声処理部１０５には子機スピーカ１０１にアナログ信号を送信し、子機マイク１０２からのアナログ信号をデジタル信号に変換するモノラルコーデック（CODEC）１０６が接続されている。なお、子機通信処理部１０４には、カメラ１１０によって来訪者を撮像した映像信号を処理するカメラモジュール１０７が接続されている。
【００１７】
また、室内親機2は、玄関子機1とデジタル信号の送受信を行なう親機通信処理部２０１を備えており、この親機通信処理部２０１には室内親機2の音響エコーを除去する音響エコーキャンセラ処理を含む親機デジタル音声処理部２０２が接続され、親機デジタル音声処理部２０２には親機スピーカ２０４及び親機ハンドセット２１４に備えられている親機ハンドセットスピーカ２１６及び親機増設スピーカ２１５にアナログ信号を送信し、親機マイク２０５及び親機ハンドセット２１４に備えられている親機ハンドセットマイク２１７からのアナログ信号をデジタル信号に変換するステレオコーデック２０３が接続されている。
【００１８】
親機通信処理部２０１は、バスを介して玄関子機１や増設親機３との間のデータの入出力や親機内の各構成機器の動作を制御したり、あるいは親機スピーカ、親機ハンドセットスピーカ、親機増設スピーカのうち選択された何れかの出力先に対応させてデジタル音声処理部を制御し、出力先を選択したりするための親機ＣＰＵ２１１、居室呼び出しの報知のために必要な呼出音、音声メッセージ等の音声データ、居室呼び出しの応答時の操作確認音を保存する親機ＲＯＭ２１２、デジタル音声信号を記録する親機ＲＡＭ２１３が接続されている。親機ＣＰＵ２１１には操作ボタンやＬＥＤ等の親機Ｉ／Ｏ装置２１０が接続されている。
【００１９】
さらに、親機通信処理部２０１には、玄関子機１からの映像信号を処理する親機画像処理部２０９が接続され、親機画像処理部２０９には液晶ディスプレイのコントローラ（親機ＬＣＤＣ）２０７を介して液晶ディスプレイ（親機ＬＣＤ）２０６及び映像信号を記憶させる親機画像処理用ＲＡＭ２０８が接続されている。
【００２０】
なお、増設親機３の各構成も基本的に室内親機２の構成と同一のため説明を省略する。
【００２１】
次に、このようなインターホン装置における室内親機及び増設親機の音響出力動作を説明する。
【００２２】
まず、来訪者が玄関子機1で呼出ボタン１０３を操作すると、子機通信処理部１０４から室内親機２の親機通信処理部２０１を経由して、その呼出を親機2の親機ＣＰＵ２１１が認識する。親機2の親機ＣＰＵ２１１が玄関子機1からの呼出を認識すると親機ＲＯＭ２１２から呼出音データを読み出し、その呼出音データを親機デジタル音声処理部２０２に受け渡す。親機デジタル音声処理部２０２では、ボリューム制御にて設定された音量を確保した呼出音データを親機ステレオコーデック２０３のL（左）チャネルにセットし、親機ステレオコーデック２０３の出力スイッチを制御して親機（自機）スピーカ２０４と親機増設スピーカ２１５より音響出力する。
【００２３】
このような出力パターンの種類を後述する他のパターンも含めて図３及び図４に示す。
【００２４】
上記音響出力動作の出力パターンは図３及び図４の出力パターン（１）に該当する。
【００２５】
次に、室内親機2の親機ハンドセットマイク２１７で玄関子機1からの呼出に応答すると、玄関子機1の子機マイク１０２からのアナログ信号がモノラルコーデック１０６でデジタル信号に変換され、変換された送話音声データは室内親機２の親機通信処理部２０１から親機デジタル音声処理部２０２に送られる。親機デジタル音声処理部２０２では、ボリューム制御にて設定された音量を確保し、音響エコーキャンセラ制御を経た送話音声データを親機ステレオコーデック２０３のLチャネルにセットし、親機ステレオコーデック２０３の出力スイッチを制御して親機ハンドセットスピーカ２１６より音響出力する。この出力パターンは図３及び図４の出力パターン（５）となる。
【００２６】
上記の出力パターン（５）のように親機ハンドセット２１４にて玄関子機１と室内親機２との間の通話中に玄関子機4より呼出ボタン１０３の操作を行い、この呼出を室内親機2の親機ＣＰＵ２１１が認識すると、親機ＲＯＭ２１２から呼出音データを読み出し、その呼出音データを親機デジタル音声処理部２０２に受け渡す。親機デジタル音声処理部２０２では、呼出音データと親機通信処理部２０１より受取った玄関子機1の送話音声データを設定されたボリュームに制御し、ミキシング処理にかけた結果を親機ステレオコーデック２０３のLチャネルにセットし、親機ステレオコーデック２０３の出力スイッチを制御することで親機ハンドセットスピーカ２１６に玄関子機１からの送話音声と玄関子機４からの呼出音のミキシングデータを音響出力する。また、R（右）チャネルにはボリューム制御のみ施された呼出音データをセットし、親機ステレオコーデック２０３の出力スイッチを制御することで親機（自機）スピーカ２０４と親機増設スピーカ２１５に玄関子機４からの呼出音を音響出力する。この出力パターンは図３及び図４の出力パターン（７）となる。
【００２７】
ここで、上記において説明した出力パターン（１）、（５）、（７）以外のパターンを説明すると、図３及び図４の出力パターン（２）の例では、親機スピーカ２０４及び親機マイク２０５にて玄関子機１と室内親機２との間の通話中に玄関子機4より呼出ボタン１０３の操作を行い、この呼出を室内親機2の親機ＣＰＵ２１１が認識すると、親機ＲＯＭ２１２から呼出音データを読み出し、その呼出音データを親機デジタル音声処理部２０２に受け渡す。親機デジタル音声処理部２０２では、呼出音データと親機通信処理部２０１より受取った玄関子機1の送話音声データを設定されたボリュームに制御し、ミキシング処理にかけた結果を親機ステレオコーデック２０３のLチャネルにセットし、親機ステレオコーデック２０３の出力スイッチを制御することで親機（自機）スピーカ２０４に玄関子機４からの呼出音と玄関子機１からの送話音声のミキシングデータを音響出力する。また、Rチャネルにはボリューム制御のみ施された呼出音データをセットし、親機ステレオコーデック２０３の出力スイッチを制御することで親機増設スピーカ２１５に玄関子機４からの呼出音を音響出力するものである。
【００２８】
さらに、図３及び図４の出力パターン（３）の例では、来訪者が玄関子機1で呼出ボタン１０３を操作すると、子機通信処理部１０４から室内親機２の親機通信処理部２０１を経由して、その呼出を親機2の親機ＣＰＵ２１１が認識し、呼出音を報音するまでは出力パターン（１）と同様である。次に、室内親機2の親機マイク２０５で玄関子機1からの呼出に応答すると、玄関子機1の子機マイク１０２からのアナログ信号がモノラルコーデック１０６でデジタル信号に変換され、変換された送話音声データは室内親機２の親機通信処理部２０１から親機デジタル音声処理部２０２に送られる。親機デジタル音声処理部２０２では、ボリューム制御にて設定された音量を確保し、音響エコーキャンセラ制御を経た送話音声データを親機ステレオコーデック２０３のLチャネルにセットし、親機ステレオコーデック２０３の出力スイッチを制御して親機（自機）スピーカ２０４より送話音声を音響出力する。この時親機ハンドセットスピーカ２１６、親機増設スピーカ２１５には何も報音されない。
【００２９】
また、図３及び図４の出力パターン（４）の例では、親機スピーカ２０４及び親機マイク２０５にて玄関子機１と室内親機２との間の通話中に玄関子機4より呼出ボタン１０３の操作を行い、この呼出を室内親機2の親機ＣＰＵ２１１が認識すると、親機ＲＯＭ２１２から呼出音データを読み出し、その呼出音データを親機デジタル音声処理部２０２に受け渡す。この時親機デジタル音声処理部２０２では、玄関子機４からの呼出の際の呼出音データを親機スピーカ２０４にて報音しないように設定し、親機通信処理部２０１より受取った玄関子機1の送話音声データのみを設定されたボリュームに制御し、親機ステレオコーデック２０３のLチャネルにセットし、親機ステレオコーデック２０３の出力スイッチを制御することで親機（自機）スピーカ２０４には玄関子機１からの送話音声を音響出力する。また、Rチャネルにはボリューム制御を施された玄関子機４からの呼出の際の呼出音データをセットし、親機ステレオコーデック２０３の出力スイッチを制御することで親機増設スピーカ２１５には玄関子機４からの呼出音を音響出力するものである。
【００３０】
さらに、図３及び図４の出力パターン（６）の例では、親機ハンドセット２１４にて玄関子機１と室内親機２との間の通話中に玄関子機4より呼出ボタン１０３の操作を行い、この呼出を室内親機2の親機ＣＰＵ２１１が認識すると、親機ＲＯＭ２１２から呼出音データを読み出し、その呼出音データを親機デジタル音声処理部２０２に受け渡す。この時親機デジタル音声処理部２０２では、玄関子機４からの呼出の際の呼出音データを親機スピーカ２０４にて報音しないように設定し、親機通信処理部２０１より受取った玄関子機1の送話音声データのみを設定されたボリュームに制御し、親機ステレオコーデック２０３のLチャネルにセットし、親機ステレオコーデック２０３の出力スイッチを制御することで親機ハンドセットスピーカ２１６には玄関子機１からの送話音声を音響出力する。また、Rチャネルにはボリューム制御を施された玄関子機４からの呼出の際の呼出音データをセットし、親機ステレオコーデック２０３の出力スイッチを制御することで親機増設スピーカ２１５には玄関子機４からの呼出音を音響出力するものである。
【００３１】
このように各動作状態については、図３、図４より適切な出力パターンを選択し、適切な出力デバイスへの出力を行うようにするとよい。なお、増設親機についてもその動作は室内親機と同じであるので説明は省略する。
【００３２】
呼出音及び音声メッセージ及び操作確認音については、室内親機、増設親機それぞれの自機ＲＯＭ２１２、３０８から取得する他に、自機以外のシステム上の室内親機若しくは増設親機のＲＯＭより通信して取得することも可能である。
【図面の簡単な説明】
【００３３】
【図１】本発明のインターホン装置のシステム構成図である。
【図２】本発明のインターホン装置のブロック図である。
【図３】本発明のインターホン装置の親機の動作状態と出力パターンを説明する図である。
【図４】本発明のインターホン装置の親機の出力パターンを表す図である。
【符号の説明】
【００３４】
１                玄関子機
２                室内親機
３                増設親機
１０１                子機スピーカ
１０２                子機マイク
１０３                呼出部
１０６                モノラルコーデック
２０２                親機デジタル音声処理部
２０３                親機ステレオコーデック
２０４                親機スピーカ
２０５                親機マイク
２１４                親機ハンドセット
３０２                増設親機デジタル音声処理部
３０３                増設親機ステレオコーデック
３０４                増設親機スピーカ
３０５                増設親機マイク
３１４                増設親機ハンドセット
【図１】
2008252531.tif 000003
【図２】
2008252531.tif 000004
【図３】
2008252531.tif 000005
【図４】
2008252531.tif 000006